(57)【要約】【課題】  浴室天井裏等におけるメンテナンス作業が楽になる浴室機器メンテナンス用装置を提供する。【解決手段】  浴室１の天井裏等に設置する機器（暖房機２）に、メンテナンス機器を接続するための給電コンセント４を直接またはコード３を介して設ける。【選択図】  図１
2005192761.tif 000002
【特許請求の範囲】
【請求項１】
浴室の天井，壁裏，床下に設置する機器に、メンテナンス機器を接続するための給電コンセントを直接またはコードを介して設けたことを特徴とする浴室機器メンテナンス用装置。
【請求項２】
浴室の天井，壁裏，床下に設置する機器に、メンテナンス時に使用するための給電コンセントまたはＬＥＤを設け、該給電コンセントまたはＬＥＤには、前記機器内部への電源供給遮断時にも電源供給が可能に構成したことを特徴とする浴室機器メンテナンス用装置。
【発明の詳細な説明】
【技術分野】
【０００１】
本発明は、浴室外でのメンテナンス作業が楽になる浴室機器メンテナンス用装置に関するものである。
【背景技術】
【０００２】
従来、例えば特許文献１に開示されているように、浴室内に既設の電気機器への電源線に、給電コンセントを接続した構造の浴室用給電装置が存在する。
【特許文献１】特開２０００−３４１８８６号公報
【発明の開示】
【発明が解決しようとする課題】
【０００３】
上記特許文献１に開示されているような装置では、浴室の天井裏，壁裏，床下等における機器のメンテンス時に、電源を浴室外で確保することはできず、メンテナンス時に浴室外の遠い所から延長コード等で電源を引っ張ってくる必要があり、メンテナンス作業がしづらいという問題点があった。
【課題を解決するための手段】
【０００４】
本発明は上記従来の問題点に鑑み案出したものであって、浴室の天井裏，壁裏，床下の機器のメンテナンス時に、メンテナンス作業が楽に行える浴室機器メンテナンス用装置を提供せんとするものであり、その請求項１は、浴室の天井，壁裏，床下に設置する機器に、メンテナンス機器を接続するための給電コンセントを直接またはコードを介して設けたことである。
【０００５】
また請求項２は、浴室の天井，壁裏，床下に設置する機器に、メンテナンス時に使用するための給電コンセントまたはＬＥＤを設け、該給電コンセントまたはＬＥＤには前記機器内部への電源供給遮断時にも電源供給が可能に構成したことである。
【発明の効果】
【０００６】
本発明は、浴室の天井裏等に設置する機器に、メンテナンス機器を接続するための給電コンセントを設けたことにより、浴室の天井裏等でのメンテナンス作業時に、給電コンセントにメンテナンス機器を接続して、天井裏等で良好にメンテナンス作業を行うことができるものとなり、浴室外の遠い所から延長コード等で電源を引っ張ってくる必要がなく、お客に迷惑をかけることなく良好にメンテナンス作業をすることができるものとなる。
【０００７】
また、浴室の天井，壁裏，床下に設置する機器に、メンテナンス時に使用するための給電コンセントまたはＬＥＤを設け、給電コンセントまたはＬＥＤには機器内部への電源供給遮断時にも電源供給が可能に構成したことにより、浴室の天井裏等でメンテナンス作業を行う際に、メンテナンス機器を給電コンセントに接続し、良好に電源を確保して、メンテナンス機器を用いて良好にメンテナンスすることができ、またＬＥＤを設けた場合は、天井裏等でのメンテナンス作業時にＬＥＤを点灯させて、照明を確保しながら良好にメンテナンス作業を行うことができるものとなる。
また、メンテナンス作業時に、機器内部への電源供給を遮断する必要がある場合にも、メンテナンス機器は電源を確保して使用することができるものとなる。
【実施例】
【０００８】
以下、本発明の実施例を図面に基づいて説明する。
図１は、浴室１の天井裏に設置された暖房機２にコード３を介して給電コンセント４を設け、更に、暖房機２にコード５を介してＬＥＤ６を設けたものである。
暖房機２は電源７に接続されており、暖房機２に供給されている電源を、更にコード３を介して給電コンセント４に供給し、この給電コンセント４に、照明器や電気ドリル等のメンテナンス機器のプラグ等を接続して、容易に天井裏でメンテナンス作業を行うことができるものである。
また、ＬＥＤ６を点灯させることで天井裏を明るく照明でき、また、ＬＥＤ６は小さいために、機器内部の隙間内に、このＬＥＤ６を挿入して、良好に機器内部を照らし、メンテナンス作業を良好に行うことができ、メンテナンスマンが懐中電灯等を忘れた場合にも、良好に天井裏でメンテナンス作業ができるように構成したものである。
【０００９】
なお、給電コンセント４のみを暖房機２に設けても良く、また、ＬＥＤ６のみを暖房機２に設けた構成であっても良い。
なお、コード３，５は、数１０cm〜数ｍ程度の長さにしておけば、天井裏の機器や周辺機器のメンテナンス時にも有効に利用できるものとなる。
【００１０】
図２は、前記暖房機２の制御基板の回路構成図である。
暖房機用制御基板２ａの内部には、ブレーカー１０の下流側に、暖房機２に内蔵した各種機器に接続する回路が設けられており、ブレーカー１０の上流側には、電源端子台８が設けられて、この電源端子台８に、交流１００Ｖ電源７及びアース線が接続されている。
この電源端子台８と内部のブレーカー１０間を結ぶ内部配線９には、ヒューズ１１が設けられており、このヒューズ１１の上流側の内部配線９からコード３を引き出して、コード３の先端に給電コンセント４が設けられている。
なお、給電コンセント４とは、メンテナンス機器のプラグ等を差し込む等して繋げることで、メンテナンス機器へ電気を供給することのできる部材である。
【００１１】
また、図３では、電源端子台８と内部のブレーカー１０間を繋ぐ内部配線９に、スイッチ１２とトランス１３と整流回路１４を接続し、整流回路１４からコード５を引き出して、コード５の先端にＬＥＤ６を設けたものである。
なお、トランス１３は電圧を下げるためのものであり、また整流回路１４は交流から直流へ変換するためのものである。
スイッチ１２をメンテナンス時にＯＮすることで、ＬＥＤ６を点灯させることができ、電池等が不要なため、ＬＥＤ６の照明部を極めて小型なものとすることができ、機器内部の隙間内にもＬＥＤ６を挿入して、メンテナンス作業を容易に行えるものとなる。
また、電気ドリル等のメンテナンス機器を給電コンセント４に接続して、天井裏でこれらのメンテナンス機器を使用してメンテナンス作業を良好に行うことができるものとなる。
【００１２】
また、メンテナンス時には、暖房機２内部への電源供給を遮断して暖房機２を停止させる必要が生じるが、そのような場合には、ブレーカー１０を切ることで、暖房機２内部への電源を遮断することができ、ブレーカー１０を「切」にした場合でも、電源コンセント４またはＬＥＤ６へは電源が供給されるように、給電コンセント４またはＬＥＤ６はブレーカー１０の上流側の内部配線９に接続されているため、暖房機２の運転を停止させた状態でも、良好に給電コンセント４またはＬＥＤ６に電源を供給して、メンテナンス作業を良好に行うことができるものとなる。
【００１３】
なお、本例では、浴室の天井裏に設けた暖房機２に給電コンセント４またはＬＥＤ６を設けた場合を例示しているが、浴室１の壁裏や床下に設置する機器（例えばジェットバス等の気泡発生機器等）にも同様に、メンテナンス機器を接続するための給電コンセント４やＬＥＤ６を設けて構成し、これらの機器のメンテナンス作業を容易に行えるように構成することができるものである。
なお、給電コンセント４またはＬＥＤ６は、コード３，５を介することなく、直接内部配線９に設けたものであっても良い。
【図面の簡単な説明】
【００１４】
【図１】浴室の天井裏に設けられた暖房機にメンテナンス機器を接続するための給電コンセントとＬＥＤを設けた概略構成図である。
【図２】暖房機用制御基板の電源端子台とブレーカー間の配線から、コードを介し給電コンセントを引き出して設けた回路構成図である。
【図３】暖房機用制御基板のブレーカーの上流側にＬＥＤを設けた場合の回路構成図である。
【符号の説明】
【００１５】
１  浴室
２  暖房機
３，５  コード
４  給電コンセント
６  ＬＥＤ
７  電源
８  電源端子台
９  内部配線
１０  ブレーカー
１１  ヒューズ
１２  スイッチ
１３  トランス
１４  整流回路
【図１】
2005192761.tif 000003
【図２】
2005192761.tif 000004
【図３】
2005192761.tif 000005